(57)【要約】【課題】アームの曲がりや倒れを抑制することが可能な車両用空調装置のアーム支持構造を得る。【解決手段】ケース２の表面に、アーム４の回動軸Ｃ１を中心とする円弧面６ａを有するリブ壁６を立設し、アーム４に、当該円弧面６ａに沿ってガイドされる案内子としての爪部４ｇを設けた。【選択図】図４
2008030520.tif 000002
【特許請求の範囲】
【請求項１】
空調装置（１）のケース（２）と、当該ケース（２）に回動可能に支持されるアーム（４）とを有し、ケース（２）がアーム（４）を回動可能に支持する支持点（Ａ）と、アーム（４）の作用点（Ｂ）とがアーム（４）の回動軸（Ｃ１）方向にずれている車両用空調装置のアーム支持構造であって、
前記ケース（２）の表面（２ｂ）に、前記アーム（４）の回動軸（Ｃ１）を中心とする円弧面（６ａ）を有するリブ壁（６）を立設し、
前記アーム（４）に、当該円弧面（６ａ）に沿ってガイドされる案内子（４ｇ）を設けたことを特徴とする車両用空調装置のアーム支持構造。
【請求項２】
前記案内子（４ｇ）を前記円弧面（６ａ）の周方向に複数配置したことを特徴とする請求項１に記載の車両用空調装置のアーム支持構造。
【請求項３】
前記リブ壁（６）の先端面（６ｂ）に対向するアーム（４）の表面（４ｈ）に前記案内子（４ｇ）を立設したことを特徴とする請求項１または２に記載の車両用空調装置のアーム支持構造。
【発明の詳細な説明】
【技術分野】
【０００１】
本発明は、車両用空調装置のアーム支持構造に関する。
【背景技術】
【０００２】
従来、空調装置のケースと、当該ケースに回動可能に支持されるアームとを有し、ケースがアームを回動可能に支持する支持点と、アームから別の部材に力が伝達される作用点とがアームの回動軸方向にずれている車両用空調装置のアーム支持構造が知られている（例えば、特許文献１）。
【０００３】
この特許文献１のアーム支持構造では、アクチュエータによって二つのアームで構成されるリンク機構を介してドアが開閉駆動されるようになっている。
【特許文献１】特開２００５−１３２２０８号公報（図１１）
【発明の開示】
【発明が解決しようとする課題】
【０００４】
しかしながら、上記特許文献１のように、上記支持点と作用点とがアームの回動軸方向にずれている場合には、支持点の中心（回動軸）と作用点とが径方向に離間するのに加えて、支持点と作用点とが回動軸方向にも離間することになるため、アームが三次元的に曲がったり倒れたりして、所望の動作が得られにくくなる場合があった。
【０００５】
そこで、本発明は、アームの曲がりや倒れを抑制することが可能な車両用空調装置のアーム支持構造を得ることを目的とする。
【課題を解決するための手段】
【０００６】
請求項１の発明にあっては、空調装置（１）のケース（２）と、当該ケース（２）に回動可能に支持されるアーム（４）とを有し、ケース（２）がアーム（４）を回動可能に支持する支持点（Ａ）と、アーム（４）の作用点（Ｂ）とがアーム（４）の回動軸（Ｃ１）方向にずれている車両用空調装置のアーム支持構造であって、前記ケース（２）の表面（２ｂ）に、前記アーム（４）の回動軸（Ｃ１）を中心とする円弧面（６ａ）を有するリブ壁（６）を立設し、前記アーム（４）に、当該円弧面（６ａ）に沿ってガイドされる案内子（４ｇ）を設けたことを特徴とする。
【０００７】
請求項２の発明にあっては、前記案内子（４ｇ）を前記円弧面（６ａ）の周方向に複数配置したことを特徴とする。
【０００８】
請求項３の発明にあっては、前記リブ壁（６）の先端面（６ｂ）に対向するアーム（４）の表面（４ｈ）に前記案内子（４ｇ）を立設したことを特徴とする。
【発明の効果】
【０００９】
請求項１の発明によれば、案内子が円弧面にガイドされることで、アームが所定の円弧軌道から外れるのを抑制することができる。
【００１０】
請求項２の発明によれば、案内子を円弧面の周方向に複数配置することで、アームをより精度良く円弧軌道に沿わせることができる。また、アームが回動軸の直交面に沿う方向に曲がるのを抑制することができる。
【００１１】
請求項３の発明によれば、アームが回動軸方向に対して傾倒するのを抑制することができる。
【発明を実施するための最良の形態】
【００１２】
以下、本発明の実施形態について図面を参照しながら詳細に説明する。図１は、本実施形態にかかるアーム支持構造を有する空調装置の斜視図、図２は、リンク機構を構成する二つのアームの斜視図、図３は、本実施形態にかかるアーム支持構造の平面図、図４は、図３のIV−IV断面図である。
【００１３】
本実施形態にかかる空調装置１では、図１に示すように、ケース２に回動可能に取り付けられたカムプレート３の回動位置を制御することによって、ケース２内部で回動可能に支持される複数のドア（空気の流通経路を制御するためのドア；図示せず）の開閉状態を制御できるようになっており、そのうち一つのドアの軸を、二つのアーム４，５からなるリンク機構によって回動させるように構成されている。
【００１４】
かかる構成では、扁平な一つのカムプレート３によって複数のドアの開閉制御を行うため、ドアの設定位置によっては、アーム４，５のように、支持点と作用点とが回動軸の径方向に離間するのに加えて、軸方向にも比較的大きく離間することになる場合がある。なお、図１では、上下方向がアーム４，５およびカムプレート３の軸方向（全て平行）となっている。
【００１５】
これらアーム４，５は、いずれもケース２に回動可能に支持されており、カムプレート３がアーム４を回動させ、アーム４がアーム５を回動させることで、アーム５に固定されたドアの軸７（図４）を回動させるようになっている。
【００１６】
また、アーム４，５は、アーム４の突起４ｊとアーム５の溝５ａとからなる中間連結点を介してリンクされており、カムプレート３に駆動されるアーム４の回動方向と、ドアの回動方向（すなわちアーム５の回動方向）とが相互に逆方向となっている。
【００１７】
アーム４は、回動軸Ｃ１を中心軸とする略円柱状に形成された基体部４ａと、基体部４ａから回動軸Ｃ１の外径方向に張り出す側面視（回動軸Ｃ１と直交する方向からの視線；図４）で略直角台形状のアーム部４ｂと、アーム部４ｂにおいて基体部４ａの反対側となる端部から回動軸Ｃ１と略直交する方向に張り出す略円盤状の先端部４ｃとを備えており、側面視では略段差状に形成されている。なお、平面視（回動軸Ｃ１に沿う方向からの視線；図３）では、基体部４ａからアーム部４ｂおよび先端部４ｃが回動軸Ｃ１の径方向にほぼ真っ直ぐ張り出している。
【００１８】
基体部４ａの先端部４ｃに近い側の底面（表面２ａとの摺接面）には、円筒状の筒状部４ｅが突設されており、この筒状部４ｅの一同心円上に９０°毎に四つの爪部４ｆが突設されている。そして、図４に示すように、ケース２に形成された円形の貫通孔２ｃにこれら四つの爪部４ｆが嵌挿され、当該爪部４ｆの先端の鉤状部分と基体部４ａの底面とでケース２の壁を挟持することで、基体部４ａがケース２の表面２ａ上に当接した状態で係止されるとともに、当該基体部４ａすなわちアーム４が貫通孔２ｃの中心軸を回動中心（回動軸Ｃ１）として回動可能にケース２に支持される構成が得られている。
【００１９】
アーム部４ｂは、図２および図３に示すように、回動軸Ｃ１を含む平面に沿って伸びる三つの平行な板状のリブとして形成されており、剛性および強度を確保しながら軽量化が図られている。
【００２０】
また、アーム部４ｂの回動軸Ｃ１から所定距離離間した位置には、円柱状の突起４ｄが突設されている。そして、この突起４ｄがカムプレート３の溝（図示せず）に挿入されて当該溝の側面から押圧されることで、アーム部４ｂが回動軸Ｃ１周りに回動するようになっている。
【００２１】
そして、先端部４ｃからは、円柱状の突起４ｊが突設されている。上述したように、この突起４ｊは、アーム５に形成された長穴状の溝５ａに挿入されており、この突起４ｊから溝５ａの側面を押圧することで、アーム５を回動軸Ｃ２周りに回動させるようになっている。
【００２２】
上記構成のアーム４については、図４に示すように、ケース２による支持点Ａと、アーム５に対する作用点Ｂとが、その回動軸Ｃ１方向に沿って距離Ｄだけ離間していることになる。
【００２３】
また、図４に示すように、アーム５の爪部５ｃは、ケース２の壁に形成された円形の貫通孔２ｄに嵌挿されており、この部分で、アーム５がこの貫通孔２ｄの中心軸を回動中心（回動軸Ｃ２）として回動可能にケース２に支持される構成が得られている。
【００２４】
そして、ケース２のアーム４，５と対向する表面２ｂには、アーム４，５を摺動可能に支持するリブ壁６，６が立設されている。このうちアーム４を支持するリブ壁６は、回動軸Ｃ１を中心とする円弧面（側面）６ａを有している。
【００２５】
ここで、本実施形態では、アーム４に、リブ壁６の先端面６ｂと対向する表面４ｈから爪部４ｇを突設し、この爪部４ｇの側面４ｉがリブ壁６の円弧面６ａに摺接するように構成している。すなわち、本実施形態では、この爪部４ｇがリブ壁６の円弧面６ａに沿って案内される案内子に相当する。
【００２６】
この爪部４ｇは、図３に示すように、円弧面６ａの周方向に間隔をあけて複数（本実施形態では平面視（図３）でアーム４の幅方向両端部と中央部の三つ）配置されている。具体的には、図２に示すように、三つの平行な板状のリブとして形成されるアーム部４ｂの回動軸Ｃ１側かつリブ壁６側の端部の一部を表面４ｈより突出させて爪部４ｇを形成している。
【００２７】
そして、爪部４ｇの側面が円弧面６ａに摺接するとともに、爪部４ｇ近傍の表面４ｈがリブ壁６の先端面６ｂに僅かな間隙をもって対向するか、あるいは摺接するようになっており、図４に示すように、表面４ｈと爪部４ｇとによって形成される略Ｌ字型の鉤状構造が、リブ壁６の先端に係止する構成が得られている。なお、表面４ｈは、アーム５の表面５ｂと相互に摺接するようになっている。
【００２８】
以上の本実施形態によれば、ケース２の表面２ｂに、アーム４の回動軸Ｃ１を中心とする円弧面（側面）６ａを有するリブ壁６を立設し、アーム４に、当該円弧面６ａに沿ってガイドされる案内子としての爪部４ｇを設けたため、爪部４ｇが円弧面６ａにガイドされることで、アーム４が所定の円弧軌道から外れるのを抑制することができる。
【００２９】
また、本実施形態では、爪部４ｇを、円弧面６ａの周方向に複数（本実施形態では三つ）配置したため、アーム４をより精度良く所定の円弧軌道に沿わせることができる。かかる構成によって、円弧面６ａの周方向の一定区間（平面視でアーム４の幅の長さ）に亘ってアーム４を沿わせることができるため、アーム４が当該周方向、すなわち回動軸Ｃ１との直交面に沿う方向に曲がる（図３の平面視で曲がる）のを抑制することができる。
【００３０】
また、本実施形態では、リブ壁６の先端面６ｂにアーム４の表面４ｈを間隙をもって対向させるかあるいは摺接させるようにしたため、リブ壁６の先端面６ｂに対して直立するアーム部４ｂが傾倒する（図４の側面視で曲がる）のを抑制することができる。
【００３１】
以上、本発明の好適な実施形態について説明したが、本発明は上記実施形態には限定されず種々の変形が可能である。例えば、上記実施形態では、案内子としてアームに形成した略Ｌ字型の鉤状部分が、リブ壁の先端に係止して摺接する構成としたが、略コ字型の鉤状構造（案内子）がリブ壁の先端面を覆い被せるようにして係止して摺接する構成としてもよい。
【図面の簡単な説明】
【００３２】
【図１】本発明の一実施形態にかかるアーム支持構造を有する空調装置の斜視図。
【図２】本発明の一実施形態にかかるアーム支持構造においてリンク機構を構成する二つのアームの斜視図。
【図３】本発明の一実施形態にかかるアーム支持構造の平面図。
【図４】図３のIV−IV断面図。
【符号の説明】
【００３３】
１  空調装置
２  ケース
４  アーム
４ｇ  爪部（案内子）
４ｈ  表面
６  リブ壁
６ａ  円弧面
６ｂ  先端面
Ａ  支持点
Ｂ  作用点
Ｃ１  回動軸
【図１】
2008030520.tif 000003
【図２】
2008030520.tif 000004
【図３】
2008030520.tif 000005
【図４】
2008030520.tif 000006